(57)【要約】【課題】  従来の棚栽培用のハウスの送風システムは、棚下に設けたダクトからの微風空気と、噴射ノズルからの細霧との接触を図り、細霧冷房による冷却微風を生成し、この冷却微風が、植物の鉢間を通り、棚の下から上へゆっくりと流れて、小ハウス内の冷房をする。この小ハウスを冷却した空気は、その後、小ハウス外に排気される構造である。しかし、ハウス内のプラス圧空気を積極的に排気する構造でない。【解決手段】  本発明は、イチゴハウス等の棚栽培用のハウスで、壁面の地面近傍に、吸込み用のファンを設置し、ファンのケーシングに設けたダクトを、棚下に向かって延設し、ダクトを棚の下面全体に設け、ダクトからの外気を細孔より、棚のイチゴ等の作物に供給し、ハウスの上方に向かって送風する送風ルートを形成し、送風ルートを利用し、棚の作物の上と、天井との間にあるプラス圧空気を、天窓よりハウス外に押出す棚栽培用のハウスの送風システム。【選択図】      図１
2010273601.tif 000002
【特許請求の範囲】
【請求項１】
イチゴハウス等の棚栽培用のハウスにおいて、
その壁面の地面近傍に、吸込み用のファンを設置し、このファンのケーシングに設けたダクトを、前記棚下に向かって延設し、このダクトを棚の下面全体に設け、
このダクトからの外気を、ダクトに設けた多数個の細孔より、前記棚で栽培するイチゴ等の作物に供給し、この供給を介して、前記ハウスの上方に向かって送風する送風ルートを形成し、
この送風ルートを利用し、このハウスの棚のイチゴ等の作物の上と、天井との間にあるプラス圧空気を、天窓よりハウス外に押出す構成とした棚栽培用のハウスの送風システム。
【請求項２】
請求項１に記載の棚栽培用のハウスにおいて、
前記ダクトは、棚の下面から、下向きに垂設した脚部間に設置する構成とした棚栽培用のハウスの送風システム。
【請求項３】
請求項１に記載の棚栽培用のハウスにおいて、
前記ハウスの天井に、防虫ネットを張装した構成では、この防虫ネットと棚との間に、滞留するプラス圧空気を、前記送風ルートと天窓を介して、ハウス外に排気する構成とした棚栽培用のハウスの送風システム。
【請求項４】
請求項１に記載の棚栽培用のハウスにおいて、
前記ダクトからの送風ルートが、棚の側面の流れルートを経由する構成とした棚栽培用のハウスの送風システム。
【発明の詳細な説明】
【技術分野】
【０００１】
本発明は、イチゴ、茸、又は他の植物等を、棚を利用して栽培する棚栽培用のハウスの送風システムに関する。
【背景技術】
【０００２】
従来、棚を利用してイチゴ栽培するハウスにおいて、次の先行文献がある。特開平４−１６１３１号の「植物等栽培用建屋内の気化潜熱型局所冷房装置」がこれに該当する（文献（１）とする）。この文献（１）は、建屋内に被覆資材を利用した小ハウス（マルチ栽培）において、棚下にダクトを設け、このダクトから微風空気を噴出し、この微風空気と、噴射ノズルからの細霧との接触を図り、細霧冷房による冷却微風を生成し、この冷却微風を、植物の鉢間を通り、棚（ベンチ）の下から上へゆっくりと流れ、小ハウス内の冷房と、この小ハウスを冷却した空気を、その後、小ハウス外に排気される構造である。従って、植物の葉の気孔を閉ざさず、また、縮小することなく、健全な炭酸ガス吸収を維持できることと、水滴の垂れによる萎凋化と濡れ防止が図れる特徴がある。しかし、この発明は、小ハウス内の冷房を図るものであり、かつ、ハウス妻面の中間部にダクトを開口し、外気の影響をもろに受けた暖気を、吸込む構造であり、吸込空気の冷房に対して、余分の動力及び／又は経費が必要となり、合理性とコスト面での改良が考えられる。そして、同様な発明として、特開昭６０−６０４３９号の「温室冷房装置」がある（文献（２）とする）。この文献（２）は、妻面の立上部位の中間に給気ダクトを開口し、この給気ダクトを、ハウス内の地面で、かつその棟方向に延設し、このダクトからの外気の噴射と、散水管からの噴霧とを介して細霧冷房する冷風筒とする構造であり、この冷風管をハウス内に複数列配備することで、このハウスの冷房を図ることを特徴とする。しかし、この文献（２）は、冷風管をハウス内に、複数列設ける構造であり、ハウスの耕作面積の減少化が考えられ問題である。また、この冷風管内の不織布マットを設ける構造であり、このマットの腐蝕の問題と、メンテナンスの複雑化等を招来する改良点が考えられる。
【特許文献１】特開平４−１６１３１号
【特許文献２】特開昭６０−６０４３９号
【発明の概要】
【発明が解決しようとする課題】
【０００３】
前述した文献（１）と、文献（２）は、吸込用のダクト（給気ダクト）を、妻面の立上部位の中間に開口し、空気中の冷暖化された外気（冷気、又は暖気）を吸込み、この外気を、ダクトを介してハウス内に導き、この外気を細霧冷房し、この細霧冷房を介してハウスの冷房を図る構造である。しかし、この文献（１）と、文献（２）は、ダクトによる冷却微風と、冷風管による細霧冷房を図ることに留まり、ハウスの天井に向かって、積極的な送風ルートを確保することを意図しないし、また、ハウス内の中間空気（中間空間の空気、「プラス圧空気」）を、積極的に、天窓を利用して排気する構造でない。従って、栽培に必要とする主要なテーマ、例えば、ハウス内のスムーズな風の流れと、微風の流れを介して、栽培作物に、最適な送風環境を維持すること、葉面における空気の流れ、又は栽培作物の健全な生育環境維持と、収穫量の拡充化を図ること等を達成するには困難視される。
【０００４】
上記に鑑み、本発明は、この主要なテーマである。例えば、ハウス内のスムーズな風の流れと、微風の流れを介して、栽培作物に、最適な送風環境を維持すること、葉面における空気の流れ、又は栽培作物の健全な生育環境維持と、収穫量の拡充化を図ること、等を意図する。そして、ハウスの天井に防虫ネットを張装した構造の棚栽培用のハウスに最適な送風システムを提供することを意図する。さらに、前記防虫ネット付のハウスにおいて、ハウスの天井に向かって、積極的な送風ルートを確保することで、ハウス内のプラス圧空気（中間空気）を、積極的に、天窓を利用して排気する。そして、ハウス内に空気の循環路を確保し、かつ吸込み空気の冷気、又は暖気をし、この冷暖気をストレートにダクトに導入し、外気が保持する雰囲気（冷気、又は暖気）を活用することを意図する。
【課題を解決するための手段】
【０００５】
請求項１の発明は、ハウス内のスムーズな風の流れと、微風の流れを介して、栽培作物に、最適な送風環境を維持すること、葉面における空気の流れ、又は栽培作物の健全な生育環境維持と、収穫量の拡充化を図ること等を意図する。そして、請求項１の発明は、ハウスの天井に防虫ネットを張装した構造の棚栽培用のハウスに最適な送風システムを提供することを意図する。さらに、請求項１の発明は、前記防虫ネット付のハウスにおいて、ハウスの天井に向かって、積極的な送風ルートを確保することで、ハウス内のプラス圧空気を、積極的に、天窓を利用して排気し、ハウス内に、空気の循環路を確保し、かつ吸込み空気の冷気、又は暖気（冷暖気）を、ストレートにダクトに導入し、外気が保持する雰囲気（冷暖気）を活用することを意図する。
【０００６】
請求項１は、イチゴハウス等の棚栽培用のハウスにおいて、
その壁面（妻面）の地面近傍に、吸込み用のファンを設置し、このファンのケーシングに設けたダクトを、前記棚下に向かって延設し、このダクトを棚の下面全体に設け、
このダクトからの外気を、ダクトに設けた多数個の細孔より、前記棚で栽培するイチゴ等の作物に供給し（棚の下面と、その側面には、風が流動できる空間を形成し、この空間を利用した風の流れ）、この供給を介して、前記ハウスの上方（天井及び／又は防虫ネット）に向かって送風する送風ルートを形成し、
この送風ルートを利用し、このハウスの棚のイチゴ等の作物の上と、天井との間にあるプラス圧空気を、天窓よりハウス外に押出す構成とした棚栽培用のハウスの送風システムである。
【０００７】
請求項２の発明は、請求項１の目的を達成することと、この目的達成に最適な構造のダクトを提供することを意図する。
【０００８】
請求項２は、請求項１に記載の棚栽培用のハウスにおいて、
前記ダクトは、棚の下面から、下向きに垂設した脚部間に設置する構成とした棚栽培用のハウスの送風システムである。
【０００９】
請求項３の発明は、請求項１の目的を達成することと、この目的達成に最適な構造の防虫ネットを張装したハウスを提供することを意図する。
【００１０】
請求項３は、請求項１に記載の棚栽培用のハウスにおいて、
前記ハウスの天井に、防虫ネットを張装した構成では、この防虫ネットと棚との間に、滞留するプラス圧空気を、前記送風ルートと天窓を介して、ハウス外に排気する構成とした棚栽培用のハウスの送風システムである。
【００１１】
請求項４の発明は、請求項１の目的を達成することと、この目的達成に最適な構造のダクトからの送風ルートを提供することを意図する。
【００１２】
請求項４は、請求項１に記載の棚栽培用のハウスにおいて、
前記ダクトからの送風ルートが、棚の側面の流れルートを経由する構成とした棚栽培用のハウスの送風システムである。
【発明の効果】
【００１３】
請求項１の発明は、イチゴハウス等の棚栽培用のハウスにおいて、
壁面の地面近傍に、吸込み用のファンを設置し、ファンのケーシングに設けたダクトを、棚下に向かって延設し、ダクトを棚の下面全体に設け、
ダクトからの外気を、ダクトに設けた多数個の細孔より、棚で栽培するイチゴ等の作物に供給し、供給を介して、ハウスの上方に向かって送風する送風ルートを形成し、
送風ルートを利用し、ハウスの棚のイチゴ等の作物の上と、天井との間にあるプラス圧空気を、天窓よりハウス外に押出す構成とした棚栽培用のハウスの送風システムである。
【００１４】
従って、請求項１の発明は、ハウス内のスムーズな風の流れと、微風の流れを介して、栽培作物に、最適な送風環境を維持すること、葉面における空気の流れ、又は栽培作物の健全な生育環境維持と、収穫量の拡充化が図れること等の特徴を有する。そして、請求項１の発明は、ハウスの天井に防虫ネットを張装した構造の棚栽培用のハウスに最適な送風システムを提供できる実益を有する。さらに、請求項１の発明は、前記防虫ネット付のハウスにおいて、ハウスの天井に向かって、積極的な送風ルートを確保できることで、ハウス内のプラス圧空気を、積極的に、天窓を利用して排気し、ハウス内に、空気の循環路を確保し、かつ吸込み空気の冷暖気を、ストレートにダクトに導入し、外気が保持する雰囲気（冷暖気）を活用できる効果がある。
【００１５】
請求項２の発明は、請求項１に記載の棚栽培用のハウスにおいて、
ダクトは、棚の下面から、下向きに垂設した脚部間に設置する構成とした棚栽培用のハウスの送風システムである。
【００１６】
従って、請求項２は、請求項１の目的を達成できることと、この目的達成に最適な構造のダクトを提供できること等の特徴を有する。
【００１７】
請求項３の発明は、請求項１に記載の棚栽培用のハウスにおいて、
ハウスの天井に、防虫ネットを張装した構成では、防虫ネットと棚との間に、滞留するプラス圧空気を、送風ルートと天窓を介して、ハウス外に排気する構成とした棚栽培用のハウスの送風システムである。
【００１８】
従って、請求項３は、請求項１の目的を達成できることと、この目的達成に最適な構造の防虫ネットを張装したハウスを提供できること等の特徴を有する。
【００１９】
請求項４の発明は、請求項１に記載の棚栽培用のハウスにおいて、
ダクトからの送風ルートが、棚の側面の流れルートを経由する構成とした棚栽培用のハウスの送風システムである。
【００２０】
従って、請求項４は、請求項１の目的を達成できることと、この目的達成に最適な構造のダクトからの送風ルートを提供できること等の特徴を有する。
【図面の簡単な説明】
【００２１】
【図１】棚栽培用のハウスで、その一例として、イチゴハウスの棚栽培において、本発明の送風システムの側面模式図
【図２】図１の要部の端面模式図
【図３】他の実施例を示した要部の端面模式図
【発明を実施するための形態】
【００２２】
図中１はハウスで、このハウス１は天井１ａに防虫ネット２を有するとともに、屋根１ｂに天窓３（ビニール膜の巻上げ方式も含む）を有する構造である。そして、このハウス１の妻面１ｃ等の壁面において、かつ地面ＧＬと接するように吸込み用のファン５を設置し、このファン５のケーシング５ａには、後述する棚に向かったダクト６を設ける。そして、このダクト６は、このハウス１に設置した棚７下に向かって延設されるとともに、この棚７の下面７ａ（脚部７０１の間）の全体に敷設する。
【００２３】
そして、この棚７は、例えば、イチゴＳを栽培するために必要とする棚台７００と、この棚台７００を支持する脚部７０１で構成する。そして、この脚部７０１は、棚台７００の底部７００ａに対で設け、地面ＧＬに至り、また、この脚部７０１は、棚台７００の長手方向Ｘにおいて、適宜間隔で設けられる構成である。従って、この棚７の下面７ａと、その側面７ｂには、風が流動できる空間Ａ、Ａ１が形成される。また、この脚部７０１間には、ダクト６が全体に付設される。そして、このダクト６を付設しても、前記空間Ａは確保される構造である。そのために、ダクト６の頂面部には、細孔を少なくし、この頂面部から側面上側に、多数の細孔を開設する構造とし、この棚７の下面７ａから、その側面７ｂに至る流れルート８（詳細は後述する）を確保する。
【００２４】
前記構造において、ダクト６からの外気が、ダクト６に設けた多数個の細孔（図示せず）より、空間Ａと空間Ａ１の流れルート８（供給ルート）を経由し、棚７で栽培するイチゴＳに供給されるとともに、この流れルート８を介して、ハウス１の天井１ａ及び／又は防虫ネット２（上方）に向かって送風する送風ルート８００が形成される。そして、流れルート８用の空間Ａ１を確保するために、図示しない、遮蔽膜を、棚７の上面を除いて囲繞するように設けることも可能である。例えば、この遮蔽膜を、棚７の側面７ｂに間隔をもって垂下し、地面ＧＬに近接して設けるとともに、この棚７の長手方向Ｘ全体に設ける構成が考えられる。尚、ダクト６には、回転式ベルト９、又は図示しない、紐、不織布等のような保水性部材を設け、このダクト６内の水１０を吸上げ、ダクト６内を流れる風（送風）を利用し、細霧冷房、又は吸湿等として利用することも有効である。
【００２５】
この送風ルート８００の働きで、ハウス１の中間空間１ｄ（中間部位）から天井１ａ部位にある暖気（プラス圧空気Ｈ）をハウス１の天窓３を介して、ハウス１外に排気する。
【００２６】
以上のことから、本発明では、地面ＧＬ近傍にあるファン５を介して、この地面ＧＬの冷気（夏季）を、ダクト６に導き、このダクト６に設けた細孔から、空間Ａと空間Ａ１の流れルート８と、棚台７００の側面の隙間（図示せず）を経由し、送風ルート８００の働きで、このハウス１の中間空間１ｄと防虫ネット２間に形成されるプラス圧空気Ｈを、ハウス１の天井１ａに向かって送り、その後、天窓３を介して、ハウス１外に排気する。
【００２７】
このような、空気の流れを介して、請求項１に記載の効果を達成できる。この効果とは、［イ］  ハウス１内のスムーズな風の流れと、微風の流れを介して、栽培作物に、最適な送風環境を維持し、また、葉面における空気の流れ、又は栽培作物の健全な生育環境維持と、収穫量の拡充化が図れる等である。［ロ］  ハウス１の天井１ａ（即ち、上方）に防虫ネット２を張装した構造の棚栽培用のハウス１に最適な送風システムを提供できる。［ハ］  防虫ネット２付のハウス１において、ハウス１の天井１ａに向かって、積極的な送風ルート８００を確保できることで、ハウス１内の中間空間１ｄと防虫ネット２との間に形成されるプラス圧空気Ｈを、積極的に、天窓３を利用して排気し、ハウス１内に、空気の循環路を確保し、かつ吸込み空気の冷暖気を、ストレートにダクト６に導入し、外気が保持する雰囲気（冷暖気）を活用できる。
【００２８】
そして、本発明では、棚７のイチゴＳの上方と、天井１ｄに張装した防虫ネット２（天井１ｄ）で形成される中間空間１ｄのプラス圧空気Ｈを、積極的に、天窓３を利用して排気し、ハウス１内に、空気の循環路を確保すること、又はこのダクト６には、地面ＧＬの近傍で、かつ妻面１ｃに設けた吸込み用のファン５を介して、この地面ＧＬ付近の外気を吸込み、この吸込み空気の冷暖気を、棚７の下面全体に張り巡らした内側のダクト６に導入し、外気が保持する雰囲気（冷暖気）を活用する構造であり有益である。
【００２９】
尚、他の妻面１ｃに排気ファンを設けること、又はハウス１の防虫ネット２の上下の何れか一面に内張りカーテンを設けることも可能である。そして、この内張りカーテンを設けた効果は、暖冷房効果と、太陽光の遮蔽効果等を図る。尚、防虫ネット２と内張りカーテンの併用では、暖冷房効果と、太陽光の遮蔽効果等の一層の拡充が図れる。そして、また、ダクト６を多数の棚７の下面７ａに敷設する構造では、利便性と、効率的な栽培等を意図して、例えば、それぞれの棚７への外気の送風を、切換弁を介して、個別にコントロールすることもあり得る。
【００３０】
そして、図３に示すように、イチゴＳの株間に、補助ダクト６００を配備し、この株間に空気の流れを確保することで、蒸れ防止と、結露防止等に役立てて、健全な生育環境と、疫病の発生回避等を図ることも可能である。そして、この補助ダクト６００には、望ましくは、左右側面に細孔を設け、イチゴＳの葉面、又は茎に送風することと、塩害、結晶化等による葉面の枯れ防止に役立てる。図中６０１は、補助ダクト６００とダクト６を連結するホースであり、このホース６０１内には、図示しない、弁を設け、風の給停制御（供給と、供給停止）と、場合により逆止弁として利用する。
【符号の説明】
【００３１】
１            ハウス
１ａ          天井
１ｂ          屋根
１ｃ          妻面
１ｄ          中間空間
２            防虫ネット
３            天窓
５            ファン
５ａ          ケーシング
６            ダクト
６００        補助ダクト
６０１        ホース
７            棚
７００        棚台
７００ａ      底部
７０１        脚部
７ａ          下面
７ｂ          側面
８            流れルート
８００        送風ルート
９            回転式ベルト
１０          水
Ａ            空間
Ａ１          空間
Ｈ            プラス圧空気
Ｘ            長手方向
Ｓ            イチゴ
ＧＬ          地面
【図１】
2010273601.tif 000003
【図２】
2010273601.tif 000004
【図３】
2010273601.tif 000005